(57)【要約】【課題】  遊間から雨水や泥水等が漏水して床版のコンクリート構造や主桁の鉄部材またはコンクリート部材の老化の進行早めてしまう問題、特に路面凍結が予想される地域で、冬に塩をまくため遊間の防水が不完全なため橋梁の桁・橋脚の塩害がおきる問題を解決し橋梁を長寿命化、補修までのタイムスパンを延長する。【解決手段】  一方の床版コンクリートに連結した板状連動体ＧＸが遊間ＧＧ上部を覆い、他方の床版コンクリート高段部と面接触するように配設され、板状連動体ＧＸ端と他方の床版コンクリートの切り欠き立ち上がり部との間隙ＧＹに伸縮手段をシフトして配設し、ジョイント部の伸縮を他方の床版コンクリート上で吸収されるようにし、伸縮手段が破損しても遊間に漏水しないようにする。【選択図】  図５
2005068698.tif 000002
【特許請求の範囲】
【請求項１】
一対の床版コンクリートが遊間を介して相対向する橋梁床版ジョイント部遊間の伸縮構造であって、相対向する両方の床版コンクリートの遊間側上面に、遊間側上端を含む高段部と、該高段部より低い低段部と、該低段部の高段部とは反対側に立ち上がり部を有する切り欠きが設けられ、一方の床版コンクリートに連結した板状連動体が、遊間上部を覆い、かつ、他方の床版コンクリート高段部と面接触するように配設され、前記板状連動体端と他方の床版コンクリートの切り欠き立ち上がり部との間隙に伸縮手段が配設され、該伸縮手段で橋梁床版ジョイント部の伸縮を他方の床版コンクリート上で吸収する橋梁床版ジョイント部遊間の伸縮吸収構造
【請求項２】
床版コンクリート切り欠き高段部、低段部、立ち上がり部に至る面を一連に覆う防水手段が配設され、かつ、切り欠き低段部に床版コンクリートの幅方向に勾配を有する排水流路が配設された請求項１の橋梁床版ジョイント部遊間の伸縮吸収構造
【請求項３】
他方の床版コンクリート切り欠き高段部に摩擦低減被覆された金属部材が該被覆を上面として配設され、板状連動体の下面に摩擦低減被覆された金属部材が該被覆を下面として配設され、他方の床版コンクリート高段部の金属部材の前記被覆上面と板状連動体の金属部材の前記被覆下面とが面接触している請求項１の橋梁床版ジョイント部遊間の伸縮吸収構造
【請求項４】
他方の床版コンクリートにおける高段部と低段部が、高段部・低段部一体の金属部材を他方の床版コンクリート上にアンカーボルトで固定したものであって、該金属部材高段部に摩擦低減被覆された第二の金属部材が該被覆を上面として配設され、板状連動体の下面に摩擦低減被覆された第三の金属部材が該被覆を下面として配設され、他方の床版コンクリート高段部の第二の金属部材の前記被覆上面と板状連動体の第三の金属部材の前記被覆下面とが面接触している請求項１の橋梁床版ジョイント部遊間の伸縮吸収構造
【請求項５】
摩擦低減被覆が、表面摩擦係数が０．１以下のフッ素系樹脂の被覆または表面摩擦係数が０．１以下のダイヤモンド様炭素の被覆である請求項３および請求項４記載の橋梁床版ジョイント部遊間の伸縮吸収構造
【発明の詳細な説明】
【技術分野】
【０００１】
本発明は橋梁ジョイント部にて長期間に渡って漏水を防止し、橋梁を構成するコンクリートの劣化を防止する橋梁ジョイント部の構造に関する。
【背景技術】
【０００２】
一般に、道路橋や鉄道橋等の橋梁は、図１に示すように床版３と、床版下の橋桁、支承、橋脚、および床版３の上部に施工される舗装とで構成されている。橋桁は主に鉄製またはコンクリートで、床版は鉄筋コンクリートで形成されている。図１で、１Ａは道路面直下の舗装材が施工されるゾーン、２Ａは床版コンクリートの切り欠き部、Ｇ１は１Ａに連続して舗装材または伸縮装置が施工されるゾーン、Ｇ２は２Ａに連続して舗装材または伸縮装置が施工されるゾーン、ＧＢは相対向する床版コンクリート双方の間隙、ＧＧは遊間（Ｇ１、Ｇ２、ＧＢもＧＧに含まれる）である。
【０００３】
ここで、伸縮装置とは橋梁の熱膨張や振動による伸縮を吸収する手段である。橋梁は、複数の床版がつなぎ合わせられるとともに床版と床版との間に、橋梁の熱膨張や振動による伸縮を吸収するため、所要の「遊間（床版と床版の間隔）」を有するよう設計・施工される。中央分離帯部の長手方向に沿って形成される遊間は中央分離帯部の縦目地部、床版と床版との間に形成される遊間は横目地部とも呼ばれる。本案はこれら共通に適用できる技術であるので「遊間」と総称する。
【０００４】
橋梁ジョイント部には、多様な排水、防水の対策技術が施されている。図１でｄ１（１Ａゾーンに配設された排水配管（ドレン配管））、ｄ２（２Ａゾーンに配設された排水配管（ドレン配管））、ｄ３（Ｇ１ゾーンまたはＧ１ゾーン近傍に配設された排水配管（ドレン配管））、ｄ４（Ｇ２ゾーンまたはＧ２ゾーン近傍に配設された排水配管（ドレン配管））などがそうである。ｄ１、ｄ２、ｄ３、ｄ４は橋梁の幅方向、長手方向の二次排水配管系に連結されていて、橋梁外に雨水等を排除する。
【０００５】
遊間部では、２１（遊間の上部を閉塞するように横断して配設された板、スライディングシート）、２２（Ｕ字型に懸垂設置された防水シート、樹脂や金属の桶）、２３（間隙を閉塞するように配設された遊間下落水を防止する部材）が配設されている（特許文献１〜特許文献８参照）。
【０００６】
これら従来の遊間部の防水技術は問題がある。すなわち、ｄ２配管が施されていたとしても、２Ａの下部の床版面のコンクリートには雨水が浸透してしまうし、従来の２１、２２、２３が長期間の使用にて破損して遊間下部に漏水する傾向にある。地震による損傷もある。すると、ＧＢの下方に漏水し橋桁、支承、橋脚に水が浸透する。橋梁にては、遊間から雨水や泥水等が漏水して床版のコンクリート構造や橋桁の鉄部材またはコンクリート部材の老化の進行をより一層早めてしまう。特に路面凍結が予想される地域では、冬に塩をまくため遊間の防水が不完全であると橋梁の桁・橋脚の塩害（塩の金属イオンによるコンクリートの劣化）が発生する。
【０００７】
また従来の橋梁床版ジョイント部遊間の伸縮吸収構造として、一方の床版に凹部、他方の床版に張り出した凸部を配設し、該凹凸が嵌合する構造（特許文献９参照）、または両床版をその一部を切り欠いた形状として、該切り欠きが上下に組み合わさる構造（特許文献１０参照）が開示されている。しかしこれらは、遊間での不連続を緩和するための構造であって、上記の防水の問題について解決策を与える技術ではない。
【０００８】
【特許文献１】特許1041646（特公昭55-032123号公報）「道路継目部構造」新井元之助
【０００９】
【特許文献２】特許0598107（特公昭45-025549公報）「可撓性封鎖装置」マクラレンラバー（スコットランド）
【００１０】
【特許文献３】英国特許GB2218437号明細書「Expansion joint for roads and bridges 」ショーボンド建設株式会社
【００１１】
【特許文献４】米国特許US3838931号明細書「ELASTIC ROAD BRIDGE JOINT」VALLA A
【００１２】
【特許文献５】特許第3269038号公報「道路橋埋設ジョイント用閉塞手段の構造」新井元之助
【００１３】
【特許文献６】特許第3407090号公報「伸縮ジョイントのシール材」西川ゴム工業株式会社
【００１４】
【特許文献７】特許第2530569号公報「目地内止水方法」ショーボンド建設株式会社、阪神高速道路公団
【００１５】
【特許文献８】特開平10-298907号公報「道路遊間補強材」株式会社ブリジストン
【００１６】
【特許文献９】特開平7-268815号公報「橋梁の伸縮部」住友金属株式会社
【００１７】
【特許文献１０】特開平7-150519号公報「橋梁の伸縮部」住友金属株式会社
【発明の開示】
【発明が解決しようとする課題】
【００１８】
橋梁遊間部の長期漏水防止ができず橋梁の劣化が予想外に進行している。その理由は、遊間に使った漏水対策材、漏水対策装置が長期的には不充分なものであるからである。特に路面凍結が予想される地域では、冬に塩をまく。その塩が遊間から流下し橋梁の桁・橋脚コンクリートにダメージを与える。塩の金属イオンがコンクリートを著しく劣化さすので「塩害」と呼ばれ深刻な問題となっている。
【００１９】
コンクリートはポーラス（多孔）であって透水するものであり、それが経年変化する。施工時には水の浸透はほとんどなくても、表面が変化し、しだいに透水していく。そのため、床版上部、遊間部のコンクリート部への水の侵入は従来技術では防止できず、無防備な状態である。本発明は、こういった問題に注目し橋梁ジョイント部、とりわけ遊間に雨水などの水を浸入させない床版ジョイント部遊間の伸縮吸収構造の提供を課題とする。
【課題を解決するための手段】
【００２０】
本案は上記の問題に着目し遊間へ水を入れない、という設計思想の実現を徹底すること、また、たとえば特許文献１〜８にあるような従来の伸縮手段は破損するものである、という認識から発明された。本案の考え方は、一方の床版コンクリートに連結した板状連動体ＧＸが遊間ＧＧ上部を覆い、他方の床版コンクリートと面接触するように配設され、板状連動体ＧＸ端と他方の床版コンクリートの間隙ＧＹに伸縮手段をシフトして配設し、ジョイント部の伸縮を他方の床版コンクリート上で吸収されるようにし、伸縮手段が破損しても遊間に漏水しないようにする、というものである。したがって、シフトされる伸縮手段は任意のものであり、たとえば特許文献１〜８にあるような従来の伸縮手段（装置）でもよい。
【００２１】
一対の床版コンクリート３が遊間ＧＧを介して相対向する橋梁床版ジョイント部遊間の伸縮構造である本案発明（請求項１）の第一要素は、床版コンクリート３の遊間側上面に該床版コンクリートの遊間側上端１０を含む高段部２Ｂと、該高段部より低い低段部２Ｃと、該低段部の高段部とは反対側の立ち上がり部２Ｄとからなる切り欠きが設けられ、前記切り欠き低段部２Ｃに床版コンクリートの幅方向に勾配を有する排水流路ｄｒである（図２参照）。この高段部、低段部、排水流路は遊間の排水のために必要な要素である。
【００２２】
本案の発明（請求項１）の第ニ要素は、一方の床版コンクリートに連結した板状連動体ＧＸであり、ＧＸが遊間上部を覆い、かつ、他方の床版コンクリート高段部２Ｂと面接触するように配設されていることである。このＧＸが設置された前提で、従来の伸縮手段（装置）が前記板状連動体ＧＸの端と他方の床版コンクリートの切り欠き立ち上がり部２Ｄとの間隙に配設されている。従来の伸縮手段（装置）は、任意である。たとえば特許文献１〜特許文献９のいずれでもよい。この従来の伸縮手段が従来あるべき遊間ではなく、設置された他方の床版コンクリート上で伸縮を吸収する構造である（図３参照）。
【００２３】
図３（ａ）および（ｂ）は、ＧＧの伸縮変化がＧＹにシフトされていることを示す図である。ＧＹには従来の任意の伸縮手段（装置）が配設可能であり、たとえそれが破損されても、水は他方の床版コンクリートの高段部２Ｂと切り欠き立ち上がり部２Ｄを乗り越えられないので、ＧＧには漏出しない。
【００２４】
床版コンクリート切り欠き高段部２Ｂ、低段部２Ｃ、立ち上がり部２Ｄに至る面には、それらを一連に覆う防水手段が配設されているのが望ましい（請求項２）。かつ、切り欠き低段部に床版コンクリートの幅方向に勾配を有する排水流路が配設されているのが望ましい（請求項２）。こうすることで、高段部２Ｂ、低段部２Ｃのコンクリートに水が浸透することもなくなり、水は低段部２Ｃの排水流路ｄｒ経由で両サイド（橋梁の幅方向）へ流れ出し排水される。
【００２５】
板状連動体ＧＸは、他方の床版コンクリートの高段部２Ｂの上表面の摩擦低減被覆された金属部材２５でスライド移動する。このようなスライド構造は、たとえば特許文献８に開示されている。摩擦低減被覆やＧＸ上部に施工される弾性（伸縮性）舗装材の素材はそれらを踏襲してもよい。素材とは公知の加硫ゴムや特許文献８記載の樹脂からなる滑り層の材である。
【００２６】
図４は、図３の例よりも他方の床版コンクリート低段部２４を広くして従来の伸縮装置を配設しやすくした例である。図３および図４の構成は（請求項３）、他方の床版コンクリート切り欠き高段部２Ｂに摩擦低減被覆された金属部材２５が該被覆を上面として配設され、板状連動体の下面に摩擦低減被覆された金属部材２５が該被覆を下面として配設され、他方の床版コンクリート高段部の金属部材の前記被覆上面と板状連動体の金属部材の前記被覆下面とが面接触している橋梁床版ジョイント部遊間の伸縮吸収構造である。
【発明の効果】
【００２７】
本発明では、万一舗装面のアスファルト等舗装材、弾性（伸縮性）舗装材に亀裂が入っても、水は一方の床版コンクリートの２Ｂ上に連結した板状連動体ＧＸを浸透しない。また、仮にＧＹの伸縮装置が劣化・破損しても、伸縮装置直下には遊間ＧＧはない。従って、水は遊間に流出することはなく、床版上橋梁の横断方向の両サイドに出される。遊間ＧＧへの水侵入がほぼ完璧に抑えられる、と言える。したがって、従来の遊間部での漏水による問題はほとんど解決される。すなわち本案適用により、遊間から雨水や泥水等が漏水して床版のコンクリート構造や主桁の鉄部材またはコンクリート部材の老化の進行を早めてしまう問題、特に路面凍結が予想される地域の塩害問題が解決され、橋梁が長寿命化し補修までのタイムスパンが延長する。
【発明を実施するための最良の形態】
【００２８】
図５が、他方（図５右側）の床版コンクリート高段部２Ｂと低段部２Ｃを一体化した金属部材Ｆとした本案の実施態様（請求項４）の構成例である。このＦが、他方（図５右側）の床版コンクリート上にアンカーＡ等で固定されている。該金属部材Ｆの高段部に対応する表面部に摩擦低減被覆された第二の金属部材Ｃが該被覆を上面として配設されている。金属部材Ｆと、アンカーＡは溶接で数個所つながっており、Ｆは荷重を大きく受けるので板厚を比較的厚いものにしている。アンカーＡは異形丸棒であり、大きい荷重を受ける為、同図中のアンカーボルトＢより太い径のものとしている。アンカーＡは、約３０ｃｍピッチでＦに溶接されている。
【００２９】
一方（図５左側）の床版コンクリート高段部にゴム板Ｑを介してアンカーボルトＢで荷重受台Ｋが固定されている。この荷重受台Ｋが、一方（図５左側）の床版コンクリートに連動する板状連動体ＧＸである。荷重受台Ｋ（板状連動体ＧＸ）の本体は、耐荷重１０トン程度のスラブ状の受台であって、両床版高段部および遊間ＧＧとを連続して覆うように配設されている。荷重受台Ｋの上を舗装材１で舗装施工される。荷重受台Ｋ（板状連動体ＧＸ）の一方のコンクリート床版側下面に摩擦低減被覆された第三の金属部材Ｃが該被覆を下面として配設されている。他方の床版コンクリート高段部の第二の金属部材の前記被覆上面Ｃと板状連動体の第三の金属部材の前記被覆下面Ｃとが面接触していて、遊間の伸縮は、他方の床版上のＧＹにシフトされる。このＧＹに任意の伸縮手段（装置）を配設すればよい。
【００３０】
一方および他方の床版コンクリート低段部には、床版コンクリートの幅方向に勾配を有する排水流路ｄｒが配設されている。万一舗装材に亀裂が入っても、水はこのｄｒで排水され遊間ＧＧにもれることはない。荷重受台Ｋと、一方の（図５左側）床版コンクリートの低段部、立ち上がり部との間隙は弾性ゴム材Ｒで充填されるのが望ましい。この弾性ゴム材Ｒは、荷重受台Ｋが上下に動くために端部を自由にするために必要である。
【００３１】
ＧＹの伸縮装置は簡素なものでかまわない。図５は、一対のフェイスプレートＪが水平対向してスポンジ等ゴミ侵入防止物Ｓを詰めた間隙を挟んで配設されている。このフェイスプレートＪは、荷重受台Ｋの上の舗装材１と水平連続に配設されている。このような構造であれば、遊間への漏水が防止されるし、遊間ＧＧが２００ｍｍから１０００ｍｍと広い場合でも適用できる。
【００３２】
図５ではフェイスプレートＪ、スポンジ等ゴミ侵入防止物Ｓで公知の簡素なものである。しかし、床版上に施工されるので、施工が簡単であるし破損して交換するなどの保守が従来よりも簡単に行えるというメリットがある。したがって、従来の遊間ではありえない簡素な構造でよく、コストダウンが可能である。図５のフェイスプレートＪは波型フェイスプレートであるが、本案は直線型フェイスプレート、櫛型フェイスプレートでも適用できる。橋梁伸縮量が多い場合は、櫛型フェイスプレートが好ましい。なお、図６（ｘ）は図５のｘ−ｘ断面図、図６（ｙ）は図５のｙ−ｙ断面図、図６（ｚ）は図５のｚ−ｚ断面図である。
【００３３】
ＧＹの簡素化伸縮手段（装置）の別例を図７示す。図７中のＭ図に示すようにフェイスプレートＪを用いないで、舗装材１施工時に使用する捨て形枠Ｍ（材質は、硬質のもので、鉄、ゴム、コンクリート）を流用するというきわめて簡単かつ安価なものでもよい。この捨て形枠Ｍを取り外す必要がなくなるので、工期の短縮にもなる。捨て形枠Ｍの前後を舗装材１で舗装する。もちろん、捨て形枠Ｍは図示された波型以外の直線型または櫛型でもよい。
【００３４】
図５図７の伸縮部構造では、遊間上面の舗装面１にクラックが生じて水が浸透してきても、荷重受台Ｋ（板状連動体ＧＸ）には侵入しない。水は非透水の荷重受台Ｋから流下し、排水配管ｄｒに流れ込む。周縁の排水路（図示は略）が床版の横断方向縦断方向に配設され、これら排水路で遊間以外の排水ルートに排除される。こういった排水配管系、二次排水配管系はジョイント部構造の一部として公知である。
【００３５】
遊間部にかかる荷重は、耐荷重の大きな荷重受台Ｋに載可されるが、Ｋは一方の橋梁の高段部の上面に摩擦低減被覆Ｃを施した金属部材Ｆと面接触する部分、および他方の橋梁の高段部にゴム板Ｇを介してアンカーボルトＢで固定された下面が部分とで支持されている。荷重受台Ｋはその支持応力に耐え、かつ上部の舗装路面を変形させるような反りが発生しない仕様のものであるが、このような構造材材料、および、その設計法も公知である。現場の荷重仕様に対応して設計し、市販の構造材の組み合わせで製作すればよい。
【００３６】
以上の説明の金属は鋼、金属板は鋼板、望ましくはステンレスが好適である。２４に非透水シートを用いるなら、シーアイ化成株式会社の商品名「ビノン土木用シート」「ビノンＷＲシート」などの塩化ビニールが主成分のものが望ましい。該塩化ビニールシートでの引張強さは、１６０ｋｇｆ/ｃｍ２以上で伸びが３００％以上、ゴムシートの場合での引張強さは、１２７ｋｇｆ/ｃｍ２以上で伸びが８０％以上のものが望ましい。
【００３７】
摩擦低減被覆は、表面摩擦係数が０．１以下のフッ素系樹脂の被覆が好ましい。これは、たとえばテフロン（登録商標）（Teflon：Dupont社商品名）などのＰＴＦＥ(Polytetrafluoroethylene)lytetrafluoroethylene)に代表されるいわゆるフッ素系ポリマー：PTFE、FEP、MFA、PFAなどを主成分とした耐磨耗、低摩擦素材の被覆である。また、多少コスト高ではあるが、近年実用用途が広がりつつあるダイヤモンド様炭素（diamod like carbon:ＤＬＣ）の被覆でもよい（請求項５）。ダイヤモンド様炭素（diamod like carbon:ＤＬＣ）被覆は、たとえば神戸製鋼株式会社（商標UBMS）、株式会社サムコインターナショナル研究所、株式会社マテリアルハウスなど多くの被覆受注会社がある。
【００３８】
ステンレスが好適と前述した本件の金属部材、金属板等は、非透水性で強度があれば金属以外のゴムまたは樹脂でもよい。耐久性・経済性（施工性）に見合うものを選定してよい。ダイヤモンド様炭素（diamod like carbon:ＤＬＣ）は金属表面にはもちろんであるが、ゴム表面や樹脂表面にも被覆することが可能である。これら摩擦低減被覆技術は公知である。また、摩擦低減被覆を施した部材として東京ファブリック株式会社の商品名「ネオスライド沓」などの表面をＰＴＦＥで被覆してスライド（横すべり移動）での磨耗を低減した市販製品を利用することも可能である。該被覆面は表面摩擦係数が０．１以下である。
【００３９】
本案のＧＹに配設される伸縮手段は任意のものでかまわない。たとえば特許文献１〜８にあるような従来の伸縮手段（装置）のいずれもＧＹに配設することが可能である。
【産業上の利用可能性】
【００４０】
本案は新設のみならず、荷重受台Ｋ（板状連動体ＧＸ）等本案部材を現地に持ちこんでダメージされた橋梁の補修施工することが可能である。この場合工期を短縮できる。
【図面の簡単な説明】
【００４１】
【図１】従来の橋梁ジョイント部の防水構造の説明図
【図２】高段部２Ｂと低段部２Ｃと立ち上がり部２Ｄとからなる本案の切り欠きの説明図
【図３】一方の床版コンクリートの２Ｂ上に連結した板状連動体ＧＸと遊間ＧＧの伸縮動作が他方の床版コンクリート上にシフトされた本案の伸縮部ＧＹの説明図、ＧＹには従来の任意の伸縮手段（装置）が配設可能である、（ａ）（ｂ）のように表面に摩擦低減被覆された金属部材２５でＧＸがスライドする
【図４】図３の例よりも他方の床版コンクリート低段部２４を広くして従来の伸縮装置を配設しやすくした例
【図５】図４の例の施工図、ＧＹの伸縮手段はスポンジＳ等でゴミ侵入防止される簡単なものでよい
【図６】（ｘ）図５のｘ−ｘ断面図、（ｙ）図５のｙ−ｙ断面図、（ｚ）図５のｚ−ｚ断面図
【図７】捨て型枠（材質は、硬質のもので、鉄、ゴム、コンクリート）Ｍをもちいた簡易型の伸縮装置をＧＹに配設した例
【符号の説明】
【００４２】
１    舗装材
１Ａ  道路面直下の舗装材が施工されるゾーン  
２Ａ  床版コンクリートの切り欠き部
２Ｂ  床版コンクリート切り欠き部の遊間側上端１０を含む高段部
２Ｃ  床版コンクリート切り欠き部の低段部
２Ｄ  低段部の高段部とは反対側の立ち上がり部
３    相対向する橋梁の一方または他方の床版コンクリート
１０  床版コンクリートの遊間側上端
２１  従来の、遊間の上部を閉塞するように横断して配設された板、スライディングシート
２２  従来の、Ｕ字型に懸垂設置された防水シート、樹脂や金属の桶
２３  従来の、間隙を閉塞するように配設された遊間下落水を防止する部材、
２４  床版コンクリート高段部２Ｂ、低段部２Ｃ、低段部の高段部とは反対側の立ち上がり部２Ｄを一連に覆う防水手段
２５  表面に摩擦低減被覆された金属部材
Ａ  アンカー
Ｂ  アンカーボルト
Ｃ    摩擦磨耗低減のための表面被覆（テフロン（登録商標）などの表面被覆）
ｄ１  １Ａゾーンに配設された排水配管（ドレン配管）
ｄ２  ２Ａゾーンに配設された排水配管（ドレン配管）
ｄ３  Ｇ１ゾーンまたはＧ１ゾーン近傍に配設された排水配管（ドレン配管）
ｄ４  Ｇ２ゾーンまたはＧ２ゾーン近傍に配設された排水配管（ドレン配管）
ｄｒ  切り欠き低段部１３に配設された床版コンクリートの幅方向に勾配を有する排水配管（ドレン配管）
Ｆ    荷重受台Ｋを支持する金属部材（他方の床版高段部・低段部一体の金属部材）
Ｇ１  １Ａに連続して伸縮装置が施工されるゾーン
Ｇ２  ２Ａに連続して伸縮装置が施工されるゾーン
ＧＢ  相対向する床版コンクリート双方の間隙
ＧＧ  遊間（Ｇ１、Ｇ２、ＧＢもＧＧに含まれる）
ＧＸ  一方の床版コンクリートの２Ｂ上に連結した板状連動体
ＧＹ  遊間ＧＧの伸縮動作が他方の床版コンクリート上にシフトされた本案の伸縮部
Ｊ    フェイスプレート（連動体と床版コンクリートの切り欠き立ち上がり部との間隙に配設された伸縮装置の一部）
Ｋ    荷重受台（床版コンクリートに連動する板状連動体）
Ｍ    捨て型枠（鉄またはゴムまたはコンクリート製でＧＹに配設された伸縮装置の一部
Ｐ    弾性部材の補強用に弾性部材の内部に配設された金属板
Ｑ    ゴム板
Ｒ    弾性ゴム材
Ｓ    スポンジ等ゴミ侵入防止物（ＧＹに配設された伸縮装置の一部）
【図１】
2005068698.tif 000003
【図２】
2005068698.tif 000004
【図３】
2005068698.tif 000005
【図４】
2005068698.tif 000006
【図５】
2005068698.tif 000007
【図６】
2005068698.tif 000008
【図７】
2005068698.tif 000009